(57)【要約】【課題】ドアＡ内部の劣化の防止やドアＡ自体の遮音性能の維持を達成しつつ、通気及び防音の両方を満足させる通気防音ドアＡが得られるようにする。【解決手段】ドアＡ内部に、一端がドアＡ表面に開口する表面側開口部２１に連通する一方、他端がドアＡ裏面に開口する裏面側開口部２２に連通して、両開口部２１，２２間で通気させる通気路２４を形成するとともに、この通気路２４に臨むように開口する貫通孔２６，２６，…からなるネック部２７と、このネック部２７に連通し、所定の容積を有する共鳴空洞部２８とからなるヘルムホルツ共鳴器型の吸音構造２９を設ける。【選択図】図１
2011074680.tif 000002
【特許請求の範囲】
【請求項１】
ドア内部に、
一端がドア表面に開口する表面側開口部に連通する一方、他端がドア裏面に開口する裏面側開口部に連通して、両開口部間で通気させる通気路と、
上記通気路に臨むように開口するネック部と、該ネック部に連通し、所定の容積を有する共鳴空洞部とからなるヘルムホルツ共鳴器型の吸音構造と
が設けられていることを特徴とする通気防音ドア。
【請求項２】
請求項１において、
表面側開口部及び裏面側開口部には、開口を有するガラリ枠と、該ガラリ枠の開口に配置され、ドア厚さ方向の中央側に向かう方向に対し傾斜して延びるルーバとを有するガラリが装着されており、
上記表面側開口部及び裏面側開口部のガラリ枠における開口周縁のドア厚さ方向中央側の端部には、該端部とルーバのドア厚さ方向中央側端部との間の開口面積がルーバの傾斜に伴って小さくなるのを阻止するための傾斜面が形成されていることを特徴とする通気防音ドア。
【発明の詳細な説明】
【技術分野】
【０００１】
本発明は、住宅等の建物に用いられる通気防音ドアに関し、特に、通気性を損なうことなく遮音性をより向上させたものに関する。
【背景技術】
【０００２】
近年、住宅の内装仕上げに使用される塗料や接着剤に含まれるホルムアルデヒド等に起因するシックハウスの問題に対処するために、建築基準法の改正に伴い、ドアの閉時においても一定の通気性を確保することが求められている。
【０００３】
そして、１日中常時、つまり２４時間連続して換気する場合に、ドアにおける換気経路として、そのドアに有効開口面積で１００〜１５０ｃｍ２の開口部を形成し、その開口部にガラリを設けることで対応することができる。
【０００４】
しかし、室外からの騒音や室内の発生音がガラリの開口から外に漏れる等の問題があり、特にトイレにおいて発生する音が、隣接する廊下や居室等に漏れてくる問題があった。
【０００５】
このような通気及び防音の両方を満足させるための通気防音ドアとして、従来、例えば特許文献１〜３に示されるものが提案されている。
【０００６】
これら提案のものは、細部の構造で異なるものの、基本的にはドアの上下において設けられる開口部分がそれぞれドアの表裏両側に位置する室内空間と室外空間とに向かって開口し、開口部分はドアの内部に形成した上下に連通する通気路と通じて、室内と室外の間を空気が移動する構造である。
【先行技術文献】
【特許文献】
【０００７】
【特許文献１】特開平９−２３５９６０号公報
【特許文献２】特開２００５−１０５５７９号公報
【特許文献３】特開２００７−１１３３０７号公報
【発明の概要】
【発明が解決しようとする課題】
【０００８】
しかし、これら提案例のように、ドアの内部に位置する上下に連通する防音のための通気路を設けると、その通気路はドアの略全体に亘る長い大きな空間（通気空間）となってしまい、汚れた空気や湿気を多く含んだ空気が通気空間を長時間かかって通過することとなり、その分、通気空間内は汚れたり湿ったりする確率が高くなり、そのことでドアが内部から劣化し易くなる。
【０００９】
また、ドア内部の略全体に通気空間としての空洞が生じることで、ドアの強度が低下するだけでなく、ドアの面密度が大きい（重い）ほど遮音性が向上するという特性に反して、ドア自体の防音性が低下するのも避けられない。
【００１０】
本発明は斯かる諸点に鑑みてなされたもので、その目的は、ドアの構造に工夫を凝らすことにより、これらの問題点を解決し、通気及び防音の両方を満足させる通気防音ドアが得られるようにすることにある。
【課題を解決するための手段】
【００１１】
上記の目的を達成するために、この発明では、ドアの内部に形成される通気路に連通してヘルムホルツ共鳴器の原理を持つ吸音構造を設けるようにした。
【００１２】
具体的には、請求項１の発明に係る通気防音ドアは、ドア内部に、一端がドア表面に開口する表面側開口部に連通する一方、他端がドア裏面に開口する裏面側開口部に連通して、両開口部間で通気させる通気路と、この通気路に臨むように開口するネック部、及び該ネック部に連通し、所定の容積を有する共鳴空洞部からなるヘルムホルツ共鳴器型の吸音構造を設けたことを特徴とする。
【００１３】
この発明では、ドアの内部に通気路が形成され、この通気路はドアの表面側開口部と裏面側開口部とに連通しているので、ドア裏側の空間の空気が裏面側開口部、通気路及び表面側開口部を通ってドア表側の空間に流れるか、或いはそれとは逆方向に流れるようになる。このことでドア両側の空間の間で通気を確保することができる。
【００１４】
また、ドア内にヘルムホルツ共鳴器型の吸音構造が設けられ、そのネック部が上記通気路の途中に臨むように開口しているので、ドアの裏側の音（又は表側の音）が通気路を経由してドア表側（又はドア裏側）に伝わる際に、このヘルムホルツ共鳴器の原理により吸音減衰され、このことでドア両側間の音の伝播を抑制することができる。
【００１５】
そして、ヘルムホルツ共鳴器型の吸音構造の構成、すなわちネック部の断面積及び長さ、共鳴空洞部の容積を変えることで、所望の吸音領域（低音ないし高音）に対応させることができる。
【００１６】
また、そのため、従来のように、ドアの内部に大きな空洞の通気空間が不要となり、通常の容積の通気路を持つドアに吸音構造を設けるように若干改良するだけで済む。そして、ドア内部の通気空間に汚れたり湿ったりした空気が通ることが生じないので、ドア内部が劣化することはないとともに、ドア内部の空洞化によるドアの軽量化がなく、ドア自体の遮音性能を維持することができる。よって、ドア内部の劣化防止やドア自体の遮音性能の維持を図りつつ、ドアの防音を図ることができる。
【００１７】
請求項２の発明では、請求項１の発明に係る通気防音ドアにおいて、表面側開口部及び裏面側開口部には、開口を有するガラリ枠と、このガラリ枠の開口に配置され、ドア厚さ方向の中央側に向かう方向に対し傾斜して延びるルーバ（羽板）とを有するガラリが装着されており、上記表面側開口部及び裏面側開口部のガラリ枠における開口周縁のドア厚さ方向中央側の端部には、該端部とルーバのドア厚さ方向中央側端部との間の開口面積がルーバの傾斜に伴って小さくなるのを阻止するための傾斜面が形成されていることを特徴とする。
【００１８】
この請求項２の発明では、ガラリ枠における開口周縁のドア厚さ方向中央側の端部に傾斜面が形成されているので、この傾斜面のない場合と比べ、ガラリ枠の開口周縁のドア厚さ方向中央側（ドア内側）端部と傾斜したルーバとの間の開口面積が大きくなり、その間を空気が渦の発生による通気損失を招くことなくスムーズに流れるようになり、よって、ガラリを経由して効率よく通気することができる。
【発明の効果】
【００１９】
以上説明したように、請求項１の発明によると、ドアの内部にドア表面側開口部及びドア裏面側開口部に連通する通気路を設け、この通気路に臨むように開口するネック部と、このネック部に連通する共鳴空洞部とからなるヘルムホルツ共鳴器型の吸音構造をドア内部に設けたことにより、ドア両側の空間の間で通気を確保し、かつドア内部の大きな通気空間に起因するドア内部の劣化の防止や、ドアの軽量化によるドア自体の遮音性能の維持を達成しつつ、ヘルムホルツ共鳴器型の吸音構造によりドア両側間の音の伝播を吸音して抑制することができる。
【００２０】
請求項２の発明によると、ドア表面側開口部及びドア裏面側開口部に装着されるガラリのガラリ枠における開口周縁のドア厚さ方向中央側の端部に、その端部とルーバのドア厚さ方向中央側端部との間の開口面積がルーバの傾斜に伴って小さくなるのを阻止するための傾斜面を形成したことにより、ガラリ枠の開口周縁のドア厚さ方向中央側（ドア内側）端部と傾斜したルーバとの間で空気が渦の発生を招くことなくスムーズに流して、効率よく通気することができる。
【図面の簡単な説明】
【００２１】
【図１】図１は、本発明の実施形態に係る通気防音ドアの要部を示す拡大断面図である。
【図２】図２はヘルムホルツ共鳴器となる芯材の平面図である。
【図３】図３はヘルムホルツ共鳴器となる芯材の正面図である。
【図４】図４は一般的なヘルムホルツ共鳴器の原理を示す図である。
【図５】図５はガラリの拡大断面図である。
【図６】図６はガラリ枠の裏側を示す正面図である。
【図７】図７はガラリ枠の表側を示す正面図である。
【図８】図８はドア内部のフレームの正面図である。
【図９】図９はドアの正面図である。
【図１０】図１０は、音源をピンクノイズとしたときの通気防音ドアの遮音性能を示す図である。
【図１１】図１１は、音源をトイレでの水洗音としたときの通気防音ドアの防音性能を示す図である。
【図１２】図１２は、音源をトイレでの男性の行為音としたときの通気防音ドアの防音性能を示す図である。
【発明を実施するための形態】
【００２２】
以下、本発明の実施形態を図面に基づいて詳細に説明する。以下の実施形態の説明は、本質的に例示に過ぎず、本発明、その適用物或いはその用途を制限することを意図するものでは全くない。
【００２３】
図９は本発明の実施形態に係る通気防音ドアＡの全体構成を示し、表側から見たものである。このドアＡは縦長の長方形状のもので、図１に拡大して示すように、室外側空間Ｒ１（例えば廊下）に面する表面板１と、室内側空間Ｒ２（例えばトイレ）に面する裏面板２とを備えている。両面板１，２は同一形状のもので、図８に示すようなフレーム８の表裏に一体に貼り付けられている。尚、ドアＡは、トイレとその外側の空間（廊下）とを仕切るものを例として挙げているが、その他の屋内用や屋外用のドアでもよいのはいうまでもない。
【００２４】
再び図９に示すように、ドアＡの図示左側であって高さ方向の略中央には、ドアノブ（図示せず）を取り付けるためのノブ取付け部４と、箱錠（図示せず）を取り付けるための錠取付け部５とが上下に並んで形成されている。このドアＡは、ノブ取付け部４と反対側である図９右側の辺がドア枠（図示せず）に取り付けられて、その取り付けられた側を回動中心としてスイングするタイプのドアである。
【００２５】
図８により上記ドアＡのフレーム８について説明すると、このフレーム８は各面板１，２と同じ形状のもので、上下方向に延びて左右の辺（長辺）となる左右１対の縦枠９，９と、水平方向に延びて上下の辺（短辺）となる上下１対の横枠１０，１０とを縦長の矩形枠状に結合固定したものである。
【００２６】
上側横枠１０の下側であってドアＡの上端寄り部分には、水平左右方向に延びる上下１対の横桟１１，１１Ａが所定の間隔をあけて配置され、この各横桟１１，１１Ａの左右両端部は左右の縦枠９，９に結合されている。上側の横桟１１と上側横枠１０との間には、上下方向に延びる４本の短い縦桟１２，１２，…が左右方向に並びかつ上下両端部をそれぞれ横桟１１及び上側横枠１０に接合した状態で配置され、これらの縦桟１２，１２，…により上側の横桟１１と上側横枠１０との間が５つの空間（範囲）に仕切られ、そのうちの左右両端の空間に芯材１３，１３が充填されている。
【００２７】
また、上記上下の横桟１１，１１Ａ間の左右両端部には上下方向に延びる左右１対の縦桟１４，１４が上下両端部をそれぞれ上下の横桟１１，１１Ａに接合しかつ側面を上記縦枠９，９に接した状態で配置されており、この左右１対の縦桟１４，１４と上下の横桟１１，１１Ａとの間に、例えば左右長さが４８２ｍｍで上下幅が１５７ｍｍの矩形状の通気路用開口１５が形成されている。
【００２８】
一方、ドアＡの下端部にも同様の構造となっている（尚、上記ドアＡの上端部と同様の部材は同じ符号を付して説明する）。すなわち、下側横枠１０の上側であってドアＡの下端寄り部分には、水平左右方向に延びる上下１対の横桟１１Ａ，１１が所定の間隔をあけて配置され、この各横桟１１Ａ，１１の両端部は左右の縦枠９，９に結合されている。下側の横桟１１と下側横枠１０との間には、上記ドアＡ上部の各縦桟１２と上下に対応する位置に、上下方向に延びる４本の短い縦桟１２，１２，…が左右方向に並びかつ上下両端部をそれぞれ横桟１１及び下側横枠１０に接合した状態で配置され、これらの縦桟１２，１２，…により下側の横桟１１と下側横枠１０との間が５つの空間（範囲）に仕切られ、そのうちの左右両端の空間に芯材１３が充填されている。
【００２９】
また、ドアＡ下側における上記上下の横桟１１Ａ，１１間の左右両端部には上下方向に延びる左右１対の縦桟１４，１４が上下両端部をそれぞれ上下の横桟１１Ａ，１１に接合しかつ側面を上記縦枠９，９に接した状態で配置されており、この左右１対の縦桟１４，１４と上下の横桟１１Ａ，１１との間に、例えば左右長さが４８２ｍｍで上下幅が１５７ｍｍの矩形状の通気路用開口１５が形成されている。
【００３０】
上記ドアＡ上部の下側横桟１１ＡとドアＡ下部の上側横桟１１Ａとの間には、上記ドアＡ上下部の縦桟１２，１２，…と上下に対応する位置に４本の縦桟１６，１６，…が上下両端部をそれぞれ上記上下の横桟１１Ａ，１１Ａに接合した状態で配置され、これらの縦桟１６，１６，…により上下の横桟１１Ａ，１１Ａ間が上下方向に細長い５つの空間（範囲）に仕切られ、そのうちの左右両端の空間には縦に細長い例えば厚さ２４ｍｍのパーティクルボード１７，１７が充填されている。また、ドア幅方向（左右方向）中間部の残り３つの空間には、それら空間での同じ高さ位置に、水平方向に延びる５段の短い横桟１８，１８，…が両端部をそれぞれ隣接する縦桟１６，１６に接合した状態で配置され、これらの横桟１８，１８，…により各空間が上下に並んだ６つの空間に仕切られている。これら各空間毎の６つの空間は大小２種類に分けられ、上下両端の２つ（ドアＡ全体では６つ）の空間同士は、互いに同じ高さで上記横桟１１の上下幅と同程度の高さ（例えば３０ｍｍ）を持つ横長直方体のものとされている。残り４つ（ドアＡ全体では１２）の空間も互いに同じ高さであるが、縦長のものとされている。そして、前者の２つの空間は、それぞれ後述する各吸音機構２９における共鳴空洞部２８を構成している。後者の４つの空間の各々にはグラスウール等の吸音材１９が充填されている。
【００３１】
図９に示すように、上記表面板１には、その上下端寄り部分にそれぞれ水平方向に延びる横長の表面側開口部２１，２１が開口されている。図１に示すように、上側の表面側開口部２１は、その上端がフレーム８における上記上側の通気路用開口１５の上端（横桟１１の下端）に、また左右端が該上側の通気路用開口１５の左右端にそれぞれ一致し、下端は上側の通気路用開口１５の上端から凱歌以降１５の上下高さの略１／３の高さだけ下がった位置に位置している。一方、下側の表面側開口部２１は、その下端がフレーム８における下側の通気路用開口１５の下端（横桟１１の上端）に、また左右端が該下側の通気路用開口１５の左右端にそれぞれ一致し、上端は下側の通気路用開口１５の下端から該開口１５の上下高さの略１／３の高さだけ上がった位置に位置している。
【００３２】
これに対し、上記裏面板２には、図９に破線にて示すように、その上下端寄り部分にそれぞれ水平方向に延びる横長の裏面側開口部２２，２２が開口されている。図１に示すように、上側の裏面側開口部２２は、その下端がフレーム８における上側の通気路用開口１５の下端（横桟１１Ａの上端）に、また左右端が該上側の通気路用開口１５の左右端にそれぞれ一致し、上端は上側の通気路用開口１５の下端から該開口１５の上下高さの略１／３の高さだけ上がった位置に位置している。一方、下側の裏面側開口部２２は、その上端がフレーム８における下側の通気路用開口１５の上端（横桟１１Ａの下端）に、また左右端が該下側の通気路用開口１５の左右端にそれぞれ一致し、下端は下側の通気路用開口１５の上端から該開口１５の上下高さの略１／３の高さだけ下がった位置に位置している。
【００３３】
そして、図１に示すように、表面板１はフレーム８の表面に、また裏面板２はフレーム８の裏面にそれぞれ各々の外周面を互いに一致させて接合一体化されている。このことで、フレーム８の上下の通気路用開口１５，１５はそれぞれ表面板１及び裏面板２で閉塞されて、これらによって囲まれる空間からなる上下の通気路２４，２４がドアＡ内部に形成されている。
【００３４】
すなわち、図９にも示すように、ドアＡには、その上部及び下部の２箇所に通気路２４，２４が設けられており、この各通気路２４を通じて、室外側空間Ｒ１と室内側空間Ｒ２との間で換気をするようになっている。
【００３５】
そして、上側の通気路２４は、一端（表側端）がドアＡ表面の表面板１に開口する表面側開口部２１に連通する一方、他端がドアＡ裏面の裏面板２において表面側開口部２１よりも低い位置に開口する裏面側開口部２２に連通して、両開口部２１，２２間で通気させる。一方、下側の通気路２４は、一端（表側端）がドアＡ表面の表面板１に開口する表面側開口部２１に連通する一方、他端がドアＡ裏面の裏面板２において表面側開口部２１よりも高い位置に開口する裏面側開口部２２に連通して、両開口部２１，２２間で通気させるようになっている。
【００３６】
図２及び図３に示すように、上記フレーム８における上側の通気路用開口１５下側の横桟１１Ａ、及び下側の通気路用開口１５上側の横桟１１Ａにはそれぞれ通気路用開口１５と反対側の各空間（共鳴空洞部２８の一部）に対応する範囲（縦桟１６及びパーティクルボード１７の位置を除く部分）に、該各空間毎に複数（図示例では５つ）の同一断面円形状の貫通孔２６，２６，…がいずれも各空間を通気路用開口１５と連通するように上下方向に貫通形成されている。このことで、ドアＡ内部の上下位置に、上記各通気路２４に臨むように開口する複数（５つ）の貫通孔２６，２６，…からなるネック部２７（頸部）と、そのネック部２７に連通し、所定の容積を有する上記空間からなる共鳴空洞部２８とで構成されたヘルムホルツ共鳴器型の吸音構造２９が設けられている。
【００３７】
図４はヘルムホルツ共鳴器の原理を示し、ネック部２７（頸部）の断面積Ｓ及び長さＬと、共鳴空洞部２８の容積Ｖとで吸音のための共鳴周波数が決まる。この実施形態では、上記複数の貫通孔２６，２６，…の断面積の合計がネック部２７の断面積Ｓとなり、横桟１１Ａの上下高さ（貫通孔２６の長さ）がネック部２７の長さＬとなり、各空間の容積が共鳴空洞部２８の容積Ｖとなる。そして、このヘルムホルツ共鳴器型の吸音構造２９の構成、すなわちネック部２７の断面積Ｓ及び長さＬ、共鳴空洞部２８の容積Ｖを変えることで、所望の吸音領域（低音ないし高音）に対応させることができる。例えば各貫通孔２６の直径ｄをｄ＝１２ｍｍとしてネック部２７の断面積ＳをＳ＝１１３．０４ｍｍ２、横桟１１Ａの上下高さ（貫通孔２６の長さ）をＬ＝３０ｍｍ、共鳴空洞部２８の容積ＶをＶ＝７００５６ｍｍ３（長さ９７．３ｍｍ×高さ３０ｍｍ×幅２４ｍｍ）とすることで、１〜２ｋＨｚ（共鳴周波数１４３４Ｈｚ）を減衰することができる。尚、上記貫通孔２６及び共鳴空洞部２８はヘルムホルツ共鳴器として機能するものであり、空洞の空気をクッションとして減衰したり、断面積の変化によって音を減衰したりするものとは原理的に異なっている。
【００３８】
尚、上記フレーム８における各通気路用開口１５内に１つ又は複数の芯材（図示せず）を通気路２４での通気を阻害しないように例えば上下方向に配置して固定してもよく、その芯材により通気路用開口１５での面板１，２のドア厚さ方向の剛性を高めることができる。
【００３９】
図１に示すように、上記表面板１の各表面側開口部２１及び裏面板２の各裏面側開口部２２にはそれぞれガラリ３１が装着されていて、このガラリ３１により該各開口部２１，２２が通気可能に閉じられている（尚、図９にはガラリ３１は示していない）。この各ガラリ３１は、図５〜図７に拡大して示すように、開口部２１，２２に対応した大きさの矩形枠状のガラリ枠３２を有する。このガラリ枠３２は、先端側から上記各開口部２１，２２にドアＡ外側から略面板１，２の厚さ程度の部分まで密嵌合される枠本体３３と、この枠本体３３のドアＡ外側となる基端側外周部全体に面板１，２外面に沿うように突出するフランジ部３５とからなり、枠本体３３の内部には矩形状の開口３４が形成されている。
【００４０】
図５に示すように、上記枠本体３３のドアＡ内側に位置する先端側外周部にはルーバ部材４０が一体的に取付固定されている。このルーバ部材４０は、例えば金属や硬質樹脂等からなる矩形箱状のもので、枠本体３３の先端側外周部に外嵌合されて固定されている。このルーバ部材４０の底部において枠本体３３の開口３４に相当する部分には水平横長の複数（図示例では３つ）の通気口４１，４１，…が開口され、これら通気口４１，４１，…の境界部分には複数枚（図示例では２枚）のルーバ４２，４２（羽板）が設けられている。このルーバ４２，４２は互いに平行で、ドアＡの下側の表面側開口部２１及び上側の裏面側開口部２２のガラリ３１にあっては、ドア厚さ方向の中央側（ドアＡの内側）に向かって上方に向かうように、またドアＡの上側の表面側開口部２１及び下側の裏面側開口部２２のガラリ３１にあっては、ドア厚さ方向の中央側に向かって下方に向かうように、それぞれ傾斜しており、その上下面に対する傾斜角度θ１は例えばθ１＝２０°〜６０°（４０°±２０°）とされている。
【００４１】
上記各ルーバ４２は、例えばルーバ部材４０の底部に略コ字のスリットを形成して該スリット内の部分を、スリット端部同士を結ぶ線を支点にして斜めに切り起こすことで設けることができ、このスリット内を含む部分が通気口４１となる。
【００４２】
そして、上記枠本体３３の開口３４において、ドアＡ内側に位置する先端側（図５で右端側）の周縁部には、該周縁部の隅角部を斜めに切り欠いた傾斜面３７が開口周縁の全体に形成されており、この開口周縁の傾斜面３７により、その上下端部とルーバ４２のドア厚さ方向中央側端部（図５で右端部）との間の開口面積がルーバ４２の傾斜に伴って小さくなるのを阻止するようにしている。
【００４３】
上記傾斜面３７の傾斜角度θ２は開口３４周縁全体に亘って同じであり、そのうち上下端部の上下面に対する傾斜角度θ２は、例えば上記ルーバ４２の傾斜角度θ１と略同じとされている。
【００４４】
したがって、この実施形態においては、ドアＡのフレーム８内の上下の通気路用開口１５，１５がそれぞれ表裏の面板１，２で覆われ、その各面板１，２に各通気路用開口１５，１５に連通する表面側及び裏面側の各開口部２１，２２が高さ位置を異ならせて開口されているので、ドアＡ内部に、ドアＡの表面側開口部２１と裏面側開口部２２とに連通する２つの通気路２４，２４が形成される。そのため、ドアＡ裏側の室内側空間Ｒ２の空気が裏面側開口部２２、通気路２４、通気路用開口１５及び表面側開口部２１を通ってドアＡ表側の室外側空間Ｒ１に流れるか、或いはそれとは逆方向に流れるようになり、このことでドアＡ両側の空間Ｒ１，Ｒ２の間で通気を確保することができる。例えば室外側空間Ｒ１が廊下であり、室内側空間Ｒ２がトイレである場合には、トイレ内の換気扇（図示せず）の作動等によりトイレ内の空気が吸引されることで、廊下の空気がドアＡの上下の通気路２４，２４を通ってトイレ内に流れ、トイレの換気が行われる。
【００４５】
そして、ドアＡ内部の上下位置に、上記各通気路２４に臨むように横桟１１Ａに開口する複数の貫通孔２６，２６，…からなるネック部２７と、そのネック部２７に連通し、横桟１１Ａ、縦桟１６、横桟１８及び面板１，２で囲まれる所定の容積を有する直方体形状の空間からなる共鳴空洞部２８とで構成されたヘルムホルツ共鳴器型の吸音構造２９が設けられているので、ドアＡの裏側の音（又は表側の音）が通気路２４を経由してドアＡ表側（又はドアＡ裏側）に伝わる際に、その特定の周波数域の音がヘルムホルツ共鳴器の原理により吸収されて減衰される。このことで、ドアＡ両側間の音の伝播を抑制でき、防音ドアＡが得られる。
【００４６】
このようにヘルムホルツ共鳴器の吸音構造２９によってドアＡ両側の音の伝播を抑制するため、ドアＡの内部に大きな空洞の通気空間を設けて防音する場合の空洞は不要となり、通常の容積の通気路を持つドアＡにおいて、それに吸音構造２９を設けるだけで済み、大きな改良は不要である。しかも、ドアＡ内部の大きな通気空間に汚れたり湿ったりした空気が通ることがないので、ドアＡ内部の劣化も生じない。さらに、ドアＡ内部の空洞化に起因するドアＡの軽量化がなく、ドアＡ自体の遮音性能をも維持することができる。これらによって、ドアＡ内部の劣化防止やドアＡ自体の遮音性能の維持を図りつつ、ドアＡの防音を図ることができる。
【００４７】
そして、ヘルムホルツ共鳴器型の吸音構造２９の構成、すなわちネック部２７の断面積Ｓ（径）及び長さＬ、共鳴空洞部２８の容積Ｖを変えることで、所望の吸音領域に対応させることができる。
【００４８】
尚、上記共鳴空洞部２８は、ドアＡ全体に亘り設けられる空洞部のように大きなものではなく、実際に空気が流れる通気空間でもないので、汚れたり湿ったりした空気に起因するドアＡ内部の劣化が生じることはない。
【００４９】
また、上記ドアＡの上下の表面側開口部２１及び裏面側開口部２２に装着されているガラリ枠３２において、その開口３４のドア厚さ方向中央側（ドアＡ内側）の上下端部に傾斜面３７が形成されているので、この傾斜面３７のないものと比べ、ガラリ枠３２の開口３４周縁のドア厚さ方向中央側端部と傾斜したルーバ４２との間の開口面積が大に確保され、その間を空気が渦の発生による通気損失を招くことなくスムーズに流れるようになり、ガラリ３１を経由して効率よく通気することができる。
【００５０】
（その他の実施形態）
尚、上記実施形態では、ドアＡの上下２箇所に通気路２４，２４を形成しているが、必ずしも上下両方に設けられている必要はなく、いずれか一方のみの１箇所であってもよい。しかし、１箇所の場合は通気量を確保するために開口部２１，２２やガラリ３１の大きさが大きくなるので、意匠性を良くする点では、上記実施形態のように通気路２４を複数設けて小型のガラリ３１を取り付けるのが好ましい。
【００５１】
また、上記実施形態では、ガラリ３１を水平横方向に延びるルーバ４２，４２を持つものとしているが、本発明は、垂直縦方向のルーバを有するガラリを備えた通気防音ドアに対しても適用することができる。
【実施例】
【００５２】
次に、具体的に実施した実施例について説明する。
【００５３】
（遮音性能）
上記実施形態の構成を有する通気防音ドアの遮音性能について、一般のドアと比較して比較した。音源はピンクノイズであり、１２５Ｈｚ，２５０Ｈｚ，５００Ｈｚ，１ｋＨｚ，２ｋＨｚ，４ｋＨｚの遮音性能（単位はｄＢである）を評価した。その結果を図１０に示す。
【００５４】
この図１０をみると、実施形態に係る通気防音ドアは一般のドアと比べて２５０Ｈｚ〜４ｋＨｚの広い周波数域で遮音性能が向上している。
【００５５】
（Ｎ値による評価）
室内側空間をトイレとし、室外側空間を廊下としたときに、トイレ内で水洗の洗浄音を発生させ、そのトイレ内で録音した実際の洗浄音と、廊下で録音した洗浄音との音圧レベルを比較し、Ｎ値による評価を行った。その結果を図１１に示す。ドアは上記実施形態の構成の通気防音タイプのものと、一般のドアとを比較した。
【００５６】
また、これと同様に、室内側空間をトイレとし、室外側空間を廊下としたときに、トイレ内で男性の行為音（小便音）を発生させ、そのトイレ内で録音した実際の行為音と、廊下で録音した行為音との音圧レベルを比較し、Ｎ値による評価を行った。その結果を図１２に示す。ドアは上記実施形態の構成の通気防音タイプのものと、一般のドアとを比較した。
【００５７】
これらの図１１及び図１２をみると、水洗音及び行為音のいずれにおいても、一般ドアのＮ値はＮ−４５（「多少大きく聞こえる」）である。これに対し、本発明の実施形態に係る通気防音ドアのＮ値はＮ−３５（「小さく聞こえる」）であり、一般ドアよりもＮ値で１０低下していて２等級の差が生じており、防音性能が有効であることが判る。
【産業上の利用可能性】
【００５８】
本発明は、ドア両側の空間の通気を確保し、かつドア内部の劣化の防止やドア自体の遮音性能の維持を達成しつつ、ドア両側間の音の伝播を抑制できるので、極めて有用で産業上の利用可能性が高い。
【符号の説明】
【００５９】
Ａ  ドア
１  表面板
２  裏面板
８  フレーム
１１Ａ  横桟
２１  表面側開口部
２２  裏面側開口部
２４  通気路
２６  貫通孔
２７  ネック部
２８  共鳴空洞部
２９  吸音構造
３１  ガラリ
３２  ガラリ枠
３４  開口
３７  傾斜面
θ２  傾斜角度
４２  ルーバ
θ１  傾斜角度
【図１】
2011074680.tif 000003
【図２】
2011074680.tif 000004
【図３】
2011074680.tif 000005
【図４】
2011074680.tif 000006
【図５】
2011074680.tif 000007
【図６】
2011074680.tif 000008
【図７】
2011074680.tif 000009
【図８】
2011074680.tif 000010
【図９】
2011074680.tif 000011
【図１０】
2011074680.tif 000012
【図１１】
2011074680.tif 000013
【図１２】
2011074680.tif 000014